(57)【要約】【課題】脚部ベンドにおいて、排水流の落下位置やミンチの堆積などに影響されることなく、脚部ベンド内での管内閉塞を防止できるようにして、異常なプラス圧の発生による逆流などを防止できるようにする。【解決手段】管軸の曲がった管体２において設けられた上部配管１０用の管端口３は、管体２の縦方向管軸３Ｐに対して上部配管１０の縦方向管軸１０Ｐを下部配管用管端口４の指向方向に対する後方側へと偏心させる状態で形成されているものとした。【選択図】　　　図１
2004116732.tif 000002
【特許請求の範囲】
【請求項１】
管軸の曲がった管体（２）を有し一端側の管端口（３）が縦向きに配管される上部配管（１０）用とされて上向きに形成され他端側の管端口（４）が横向きに配管される下部配管（１１）用とされて横向きに形成された脚部ベンドにおいて、
上記の上部配管用管端口（３）は、管体（２）の縦方向管軸（３Ｐ）に対して上部配管（１０）の縦方向管軸（１０Ｐ）を上記の下部配管用管端口（４）の指向方向に対する後方側へと偏心させる状態で形成されていることを特徴とする脚部ベンド。
【請求項２】
前記上部配管用管端口（３）に比して下部配管用管端口（４）が径大に形成されていることを特徴とする請求項１記載の脚部ベンド。
【請求項３】
前記上部配管用管端口（３）の開口内周面には、前方側が手前へ突きだしたオーバーハング部（１３）が形成されていることを特徴とする請求項２記載の脚部ベンド。
【発明の詳細な説明】
【０００１】
【発明の属する技術分野】
本発明は、脚部ベンドに関するものである。
【０００２】
【従来の技術】
集合住宅等の多層階建物で採用される排水管システムでは、各階を縦方向に貫いて配管される立主管に対し、各階ごとに対応させて排水集合管が介設され、これらそれぞれの排水集合管を介して各階用横枝管が接続されるようになっている。そして、これら横枝管が、便器をはじめとして流し台や洗面台、洗濯機などと接続されるようになっている。
また、立主管は、その下端部に脚部ベンド（Ｊ字状にカーブした管）が接続され、この脚部ベンドを介して横主管へと繋げられているのが普通である。
【０００３】
一般に、個々の排水集合管にはその管内に傾斜した羽根が設けられているのが普通であり、この羽根によって流下する排水流に旋回を起こさせ、もって立主管の中心部に空気通路を形成させるようにしている（例えば、特許文献１参照）。また、上記した脚部ベンドにおいても、立主管内を流下してきた排水流に旋回を起こさせ、これによって排水流を横主管内へ円滑に流し込ませるようにするための案内羽根を設けたものが提案されている（例えば、特許文献２参照）。脚部ベンドにこの案内羽根を設けることで、立主管内が泡等による詰まりを原因として異常昇圧するのを防止することができるのである。
【０００４】
【特許文献１】
特公平５−７５９５号公報
【特許文献２】
特開平９−２６８６１８号公報
【０００５】
【発明が解決しようとする課題】
上記したように、個々の排水集合管に傾斜した羽根を設けることで立主管内を流下する排水流は管内面に沿った螺旋状となる。この場合、図８に示すように、脚部ベンド１００内へ達した排水流が、螺旋との関係において丁度、前方側（図８右側）の内曲がり位置に一致するようなことがあり得る。
このときこの脚部ベンド１００内では、前方側の内曲がり位置の真下で滝のように排水流のカーテン１０２が発生していると考えることができる。従って、このカーテン１０２の下端、即ち、脚部ベンド１００の曲がり部内では、攪拌流が起こっていると考えることができる。
【０００６】
ところで、最近の多層階建物では、流し台に、生ゴミなどをミンチ状に粉砕するためのディスポーザを取り付けるといったことが増えてきている。
このディスポーザを取り付けた場合、立主管には当然に生ゴミなどの粉砕物（以下、「ミンチ」と言う）が流下されることになる。
このようなミンチは、排水流よりも早く脚部ベンド１００内へ落下するのが普通であるから（排水流は上記のように旋回流となるのがその理由）、排水流が脚部ベンド１００内へ達した時点では、既にこの脚部ベンド１００内にミンチが堆積していると言うことができる。
【０００７】
このようなことから、脚部ベンド１００の曲がり部内では、排水流がミンチを巻き上げながら混濁した状態で攪拌流を起こし、結果、これを原因とする管内閉塞が起こるおこれがあった。
このような管内閉塞は、立主管内での異常なプラス圧の発生原因となり、比較的低い階で排水集合管から横枝管を介して各種排水機器（便器など）に対する逆流を起こさせるということがあった。
また、この管内閉塞は、上記した特許文献２の開示技術などでも解消するのは困難であった。
【０００８】
本発明は、上記事情に鑑みてなされたものであって、排水流の落下位置やミンチの堆積などに影響されることなく、脚部ベンド内での管内閉塞を防止できるようにして、異常なプラス圧の発生による逆流などを防止できるようにした脚部ベンドを提供することを目的とする。
【０００９】
【課題を解決するための手段】
前記目的を達成するために、本発明は次の手段を講じた。
即ち、本発明に係る脚部ベンド１は、管軸の曲がった管体２を有し、一端側の管端口３が縦向きに配管される立主管等の上部配管１０用とされて上向きに形成され、他端側の管端口４が横向きに配管される横主管等の下部配管１１用とされて横向きに形成されたものである。
そして、上記の上部配管用管端口３は、管体２の縦方向管軸３Ｐに対して後方側へと偏心させる状態で形成されている。
【００１０】
この「後方側」とは、下部配管用管端口４が指向している方向（この方向が「前方側」になる）に対して言うものである。
すなわち、上部配管用管端口３に対して上部配管１０を接続すると、この上部配管１０の縦方向管軸１０Ｐが、管体２の縦方向管軸３Ｐに対して後方側へ偏心することになる。
このようになっていると、上部配管１０を流下してきた排水流は、この脚部ベンド１へ流れ込むときに管体２における前方側の内曲がり位置からは必然的に離されるように誘導される。従って、その分、この排水流は管体２における後部側に沿った流れとして脚部ベンド１内へ流れ込む状態が得られやすくなる。
【００１１】
このようなことから、この脚部ベンド１内では、仮にミンチ１５が堆積していたとしても、排水流がこのミンチ１５を巻き上げるようにはならず、従ってこの巻き上げを原因とした管内閉塞は抑制できる。
その結果、この脚部ベンド１内での異常なプラス圧の発生は防止されることになり、上部配管１０から横枝管を通じての排水流の逆流も防止できることになる。
この脚部ベンド１は、上部配管用管端口３に比して下部配管用管端口４が径大に形成されているものとすればい。
【００１２】
このようにすることで、管内閉塞を防止する作用をより一層、高めることができる。
この場合、上部配管用管端口３から下部配管用管端口４に向けて徐々に内径が拡大されるのではなく、上部配管用管端口３が管体２における他の部分に比べて部分的に径小化されている状態とするのが好適である。
すなわち、これにより上部配管用管端口３の開口内周面には、前方側が手前へ突きだしたオーバーハング部１３が形成されることになる。
【００１３】
これにより、上部配管１０を流下してきた排水流がこの脚部ベンド１内において管体２における前方側の内曲がり位置から離されるという上記の作用効果が、一層確実に得られるものとなる。
【００１４】
【発明の実施の形態】
以下、本発明の実施の形態を、図面に基づき説明する。
図１及び図２は、本発明に係る脚部ベンド１の一実施形態を示している。
この脚部ベンド１は、管軸の曲がった管体２を有したもので、両側に管端口３，４が設けられている。一端側の管端口３は上部配管用とされることが限定されており、従って当然に、他端側の管端口４は下部配管用とされることが限定されている。
【００１５】
そのため、上部配管用の管端口３（以下、「上部管端口３」と言う）には立主管等の上部配管１０が接続され、下部配管用の管端口４（以下、「下部管端口４」と言う）には横主管又はオフセット用横管等の下部配管１１が接続されることになる。
本実施形態では上下の両管端口３，４の相互間が９０°に向きを変える９０°ベンドとしたものを示してある。
なお、この管体２は樹脂製としてもよいし金属製としてもよい。
【００１６】
管体２は、上部管端口３を除いてその内径が略一定に形成されている。しかし、これに対して上部管端口３は、その内径が部分的に径小化されている。
具体的には、本実施形態では下部管端口４をはじめとして管体２の殆どの部分の内径（呼び径）が１２５ｍｍに形成されているものとし、これに対して上部管端口３の内径（呼び径）が１００ｍｍに形成されたものとしてある。
すなわち、上部管端口３に比べて下部管端口４の方が径大に形成されている。そして、この上部管端口３は、管体２の縦方向管軸３Ｐに対して後方側（図１及び図２の各左側）へと偏心させる状態で形成されている。
【００１７】
ここにおいて「後方側」とは、下部管端口４が指向している方向（この方向が「前方側」になる）に対して言うものである。
すなわち、上部管端口３に対して上部配管１０を接続すると、この上部配管１０の縦方向管軸１０Ｐが、管体２の縦方向管軸３Ｐに対して後方側へ偏心することになる。
このように上部管端口３が後方側へ偏心されているため、上部管端口３の開口内周面には、前方側が手前へ突きだしたオーバーハング部１３が形成されたものとなっている。
【００１８】
このような構成とされた本発明の脚部ベンド１では、上部配管１０を流下してきた排水流が、旋回との関係において、仮に、上部管端口３の前方側（図１右側）に一致していたとしても、上部管端口３を通過するときにはオーバーハング部１３から流下し、管体２における前方側の内曲がり位置（図１中に符号２ａで示す部分）からは必然的に離されるように誘導される。
従って、この排水流は管体２の後部側内面に沿った流れとして脚部ベンド１内を通過する傾向となる。
【００１９】
このようなことから、この脚部ベンド１内では、仮にミンチ１５が堆積していたとしても、排水流がこのミンチ１５を下部管端口４から下部配管１１へと向けてうまく押し流すようになる。その結果、ミンチ１５を巻き上げるということがなくなり、管内閉塞も起こさない。
従って、この脚部ベンド１内での異常なプラス圧の発生を防止し、上部配管１０から横枝管を通じての排水流の逆流も防止できることになる。
従って、この排水管システムが採用された多層階建物などにあって、比較的低い階で立主管（上部配管１０）に繋がる排水機器での逆流は防止される。
【００２０】
【実施例】
上記した実施形態の脚部ベンド１（上部管端口３が内径１００ｍｍで下部管端口４が内径１２５ｍｍのもの）に対し、従来例としての図３に示す鋳鉄ベンド５０と、第１比較例としての図４に示す前偏心拡径ベンド５１と、第２比較例としての図５に示す中心拡径ベンド５２とを製作準備した。
図３の鋳鉄ベンド５０は、上部管端口５０ａから下部管端口５０ｂへ向けて徐々に内径が拡大されたもの（即ち、テーパ管）で、上部管端口５０ａの管軸５０Ｐと上部配管１０の縦方向管軸１０Ｐは一致している。
【００２１】
なお、上部管端口５０ａは内径（呼び径）１００ｍｍで下部管端口５０ｂは内径（呼び径）１２５ｍｍである。
図４の前偏心拡径ベンド５１は、上部管端口５１ａを除いてその内径が略一定に形成され、上部管端口５１ａだけが部分的に径小化されている点では本発明の脚部ベンド１と同じであるが、上部管端口５１ａの管軸５１Ｐが上部配管１０の縦方向管軸１０Ｐに対して前方側へ偏心して形成されている。
なお、上部管端口５１ａは内径（呼び径）１００ｍｍで下部管端口５１ｂは内径（呼び径）１２５ｍｍである。
【００２２】
図５の中心拡径ベンド５２は、上部管端口５２ａを除いてその内径が略一定に形成され、上部管端口５２ａだけが部分的に径小化されている点では本発明の脚部ベンド１や前偏心拡径ベンド５１と同じであるが、上部管端口５２ａの管軸５１Ｐと上部配管１０の縦方向管軸１０Ｐとは一致して形成されている。
なお、上部管端口５２ａは内径（呼び径）１００ｍｍで下部管端口５２ｂは内径（呼び径）１２０ｍｍである。
そして、図６に示すように、これらの各種ベンドを立主管としての上部配管１０の下端と、横主管としての下部配管１１との間に接続して（符号Ｊで示す）、３Ｌ／ｓで排水したときと６Ｌ／ｓで排水したときとにつき、上部配管１０の所定高さ位置で管内圧を測定する排水試験をした。
【００２３】
測定結果を表１に示す。
【００２４】
【表１】
2004116732.tif 000003
【００２５】
なお、表１中において、本発明に係る脚部ベンド１は［後偏心拡径ベンド］として表記した。
また再記すると、［鋳鉄ベンド］は図３に示した従来のもの。
［前偏心拡径ベンド］は図４に示した第１比較例。
［中心拡径ベンド］は図５に示した第２比較例である。
また表１中において、［最下階］と表記してある欄は、図６から明らかなように上部配管１０に対し、建物の１階に相当する部分に排水集合管Ｇを設けているか否かを表したもので、設けていない場合をＡ規格、設けている場合をＢ規格としている。
【００２６】
また表１中において、［ベンド方向］と表記してある欄は、図７に示すようにベンドＪの直上となる排水集合管Ｇに設けられた羽根ｇの位置と、ベンドＪを介して接続される下部配管１１の指向方向との角度関係を表している。
表１中の単位はｍｍＡｑである。
この表１から明らかなように、排水量の違い、Ａ規格であるかＢ規格であるかの違い、ベンド方向の違いなど、種々の使用条件や設置条件のなかで、本発明に係る脚部ベンド１（後偏心拡径ベンド）だけが、常に良好な成績を収めていることが明らかである。
【００２７】
すなわち、本発明に係る脚部ベンド１以外のベンドでは、場合によっては本発明に係る脚部ベンド１と同等の好成績を出すことはあるとしても、使用条件や設置条件が異なることでその成績に大幅なバラツキがでていることが明らかである。
換言すれば、これらの従来例、或いは第１、第２の比較例の各ベンドでは、使用条件や設置条件を限定しない限り、好成績が得られないことになり、実際の排水システムとして汎用性が乏しいと言わざるを得ない。
【００２８】
なお、本発明に係る脚部ベンド１（後偏心拡径ベンド）では、管体２内を通過する排水流が後方内面に沿った流れとなる傾向があり、その分、排水騒音も低下しているということが確かめられた。
ところで、本発明は、上記した実施形態に限定されるものではなく、実施の形態に応じて適宜変更可能である。
例えば、この脚部ベンド１の形成材料や管径サイズ、管軸の曲がり度合い等は何ら限定されるものではない。
【００２９】
管端口３，４は、受け口（ソケット又はメカニカル）タイプやフランジ継ぎ手タイプ等の他のタイプに置換することもできる。
【００３０】
【発明の効果】
以上の説明から明らかなように、本発明に係る脚部ベンドは、排水流の落下位置やミンチの堆積などに影響されることなく、脚部ベンド内での管内閉塞を防止できるようにして、異常なプラス圧の発生による逆流などを防止できるようになる。
【図面の簡単な説明】
【図１】図２に対応させた拡大側断面図である。
【図２】本発明に係る脚部ベンドの一実施形態を示した側面図である。
【図３】従来のベンド（鋳鉄ベンド）を図２と対比させて示した側面図である。
【図４】第１比較例ベンド（前偏心拡径ベンド）を図２と対比させて示した側面図である。
【図５】第２比較例ベンド（中心拡径ベンド）を図２と対比させて示した側面図である。
【図６】ベンドの接続規格を説明した図である。
【図７】ベンド方向を説明した平面断面図である。
【図８】従来の排水管システムにおける欠点を説明した透視図である。
【符号の説明】
１　　脚部ベンド
２　　管体
３　　管端口（上部管端口）
４　　管端口（下部管端口）
１０　　上部配管
１０Ｐ　上部配管の縦方向管軸
１１　　下部配管
１３　　オーバーハング部
【図１】
2004116732.tif 000004
【図２】
2004116732.tif 000005
【図３】
2004116732.tif 000006
【図４】
2004116732.tif 000007
【図５】
2004116732.tif 000008
【図６】
2004116732.tif 000009
【図７】
2004116732.tif 000010
【図８】
2004116732.tif 000011